(57)【要約】  一般的なブラインドにおいても、容易に、部分ごとにスラットの角度を調整可能にすることができる。本発明の一態様のスラット角固定具は、日射調整装置の複数のスラットの角度を調整する少なくとも１本のラダーコードの所定の位置の一部が挿入されるラダーコード挿入穴と、ラダーコード挿入穴から突出する少なくとも１本のラダーコードを保持するラダーコード保持部と、を備える。
2020121891.tif 000002
【特許請求の範囲】
【請求項１】
日射調整装置の複数のスラットの角度を調整する少なくとも１本のラダーコードの所定の位置の一部が挿入されるラダーコード挿入穴と、
前記ラダーコード挿入穴から突出する少なくとも１本の前記ラダーコードを保持するラダーコード保持部と、を備えるスラット角固定具。
【請求項２】
突出する少なくとも１本の前記ラダーコードの長さは複数の前記スラットの間隔以下である、
請求項１に記載のスラット角固定具。
【請求項３】
前記ラダーコード保持部は、
少なくとも１本の前記ラダーコードを収納するラダーコード収納部と、
少なくとも１本の前記ラダーコードを引っ掛けラダーコードを固定する引っ掛け部と、
少なくとも１本の前記ラダーコードを収納する際に前記ラダーコードを滑らせる滑り部と、を備える、
請求項１又は２に記載のスラット角固定具。
【請求項４】
前記ラダーコード挿入穴は、前記ラダーコード保持部とは分離したラダーコード挿入部に設けられる、
請求項１〜３のいずれか１項に記載のスラット角固定具。
【請求項５】
前記ラダーコード保持部は、少なくとも１本の前記ラダーコードを収納する並べて配置された複数のラダーコード収納部を備える、
請求項１に記載のスラット角固定具。
【請求項６】
少なくとも１本の前記ラダーコードは、並べて配置された複数の前記ラダーコードであって、
前記ラダーコード保持部及び前記ラダーコード挿入部の幅は、複数の前記ラダーコードの間隔よりも大きい、
請求項４に記載のスラット角固定具。
【請求項７】
握られることで操作される操作部と、
一対のつまみ手が長さ方向及び幅方向において交わる逆作用部と、
日射調整装置の複数のスラットの角度を調整するラダーコードを一対の前記つまみ手でつまんだ際における幅が複数の前記スラットの間隔である口先部と、を備える
ラダーコード通し器。
【請求項８】
日射調整装置の複数のスラットの角度を調整する少なくとも１本のラダーコードの所定の位置の一部をスラット角固定具のラダーコード挿入穴に挿入し、
スラット角固定具のラダーコード保持部により、前記ラダーコード挿入穴から突出する少なくとも１本の前記ラダーコードを保持させる前記スラット角固定具の前記日射調整装置への取り付け方法。
【請求項９】
入光する光を所定の方向に向け出光するプリズム層を有する採光フィルムと、前記採光フィルムを固定するフレームと、を有する採光プレートと、
前記フレームの下部の両端にそれぞれ設けられ、日射調整装置が入る空間を確保するスペーサと、
前記スペーサによって固定された前記日射調整装置の複数のスラットの角度を調整する少なくとも１本のラダーコードの一部が挿入されるラダーコード挿入部と、前記ラダーコード挿入部から突出する少なくとも１本の前記ラダーコードを保持するラダーコード保持部と、を有するスラット角固定具と、を備える、
採光装置。
【請求項１０】
入光する光を所定の方向に向け出光する採光器と、
請求項１〜６のいずれか１項に記載のスラット角固定具と、
を備える採光装置。
【請求項１１】
入光する前記光による日射量を調整する日射調整装置と、
請求項９又は１０に記載の採光装置と、を備える採光システム。
【請求項１２】
前記日射量の影響を受ける室内の照度を検出し、前記検出した室内の照度に基づいて室内照明器具による室内の照度を制御する室内照明装置と、
請求項１１に記載の採光システムと、を備える採光システム。
【発明の詳細な説明】
【技術分野】
【０００１】
本発明は、スラット角固定具、その取り付け方法、ラダーコード通し器、採光装置及び採光システムに関する。本願は、２０１８年１２月１３日に、日本に出願された特願２０１８−２３３３７６に優先権を主張し、その内容をここに援用する。
【背景技術】
【０００２】
特許文献１には、スラット１の角度を調整する室内側及び窓側全体調光コード３，４の上下方向中程にそれぞれ当たりコマ６，７が取り付けられた２段階にスラット角度が調整可能なブラインドが開示されている。具体的には、当該ブラインドにおいては、当たりコマ６，７の下方端に引っ掛けコマ８，９が、当たりコマ６，７の輪の中を通して、ブラインドの上方部分に設けられた室内側及び窓側部分調光コード１０，１１に取り付けられている。これにより当たりコマ６，７、引っ掛けコマ８，９及び室内側及び窓側部分調光コード１０，１１をそれぞれ引っ張ることにより、例えば、ブラインドの上部と下部など部分ごとにスラットの角度が調整可能となる。
【先行技術文献】
【特許文献】
【０００３】
【特許文献１】実開平６−００８６９３号公報
【発明の概要】
【発明が解決しようとする課題】
【０００４】
しかしながら、一般的なブラインドにおいては、上記特許文献１のブラインドのように部分ごとにスラットの角度が調整可能なように複数の調光コードは設けられておらず、部分ごとにスラットの角度は調整できない。【０００５】
本発明の一態様は、上記のような一般的なブラインドにおいても、容易に、部分ごとにスラットの角度を調整可能にすることができるスラット角固定具などを提供することを目的とする。
【課題を解決するための手段】
【０００６】
本発明の一態様に係るスラット角固定具は、日射調整装置の複数のスラットの角度を調整する少なくとも１本のラダーコードの所定の位置の一部が挿入されるラダーコード挿入穴と、ラダーコード挿入穴から突出する少なくとも１本のラダーコードを保持するラダーコード保持部と、を備える。【０００７】
本発明の一態様に係るラダーコード通し器は、握られることで操作される操作部と、一対のつまみ手が長さ方向及び幅方向において交わる逆作用部と、日射調整装置の複数のスラットの角度を調整するラダーコードを一対のつまみ手でつまんだ際における幅が複数のスラットの間隔である口先部と、を備える。【０００８】
本発明の一態様に係るスラット角固定具の日射調整装置への取り付け方法は、日射調整装置の複数のスラットの角度を調整する少なくとも１本のラダーコードの所定の位置の一部をスラット角固定具のラダーコード挿入穴に挿入し、スラット角固定具のラダーコード保持部により、ラダーコード挿入穴から突出する少なくとも一本のラダーコードを保持させる。【０００９】
本発明の一態様に係る採光装置は、入光する光を所定の方向に向けて出光する採光器と、フレームの下部の両端にそれぞれ設けられ、日射調整装置が入る空間を確保するスペーサと、スペーサによって固定された日射調整装置の複数のスラットの角度を調整する少なくとも１本のラダーコードの一部が挿入されるラダーコード挿入部と、ラダーコード挿入部から突出する少なくとも１本のラダーコードを保持するラダーコード保持部と、を有するスラット角固定具と、を備える。
【発明の効果】
【００１０】
本発明の一態様によれば、例えば、上記のような一般的なブラインドにおいても、容易に、部分ごとにスラットの角度を調整可能にすることができる。
【図面の簡単な説明】
【００１１】
【図１】図１は、本願発明の一態様によるスラット角固定具が適用された部屋を示す上面透視図である。
【図２】図２は、図１のＩＩ−ＩＩの概略断面図である。
【図３】図３は、第１の実施の形態によるスラット角固定具の構成を示す概略図である。
【図４】図４は、図３のＩＶ−ＩＶの概略断面図である。
【図５】図５は、第２の実施の形態によるスラット角固定具の構成を示す概略図である。
【図６】図６は、第３の実施の形態によるスラット角固定具の構成を示す概略図である。
【図７】図７は、第４の実施の形態によるスラット角固定具の構成を示す概略図である。
【図８】図８は、第４の実施の形態による他のスラット角固定具の構成を示す概略図である。
【図９】図９は、第５の実施の形態による採光装置の構成を示す概略図である。
【図１０】図１０は、本願発明の一態様によるスラット角固定具又は採光装置が適用された部屋の照度とパネルからの距離との関係を示した関係図である。
【図１１】図１１は、ラダーコード通し器の構成を示す概略図である。
【発明を実施するための形態】
【００１２】
［第１の実施の形態］
以下、本発明の第１の実施の形態について、図面を参照しながら説明する。
【００１３】
図１に本願発明の一態様による後述のスラット角固定具３００が適用された部屋１００を示す上面透視図を示す。図１に示すように、部屋１００の側部には採光プレート１０１が設置されたパネル１０２が設けられており、部屋１００内部上部の天井１００Ｂには列Ｓ１〜Ｓ５のように長手方向及び短手方向に間隔Ｐ毎に並んで室内照明装置１０３が設けられている。なおパネル１０２と採光プレート１０１とは固定の解除が可能な例えばボルトとナットなどの固定具で固定される。
【００１４】
パネル１０２は、例えば建物や乗り物の窓などに使用される透光性を有する板状のガラスや樹脂などである。パネル１０２から所定の距離内の天井１００Ｂにおける領域Ｅには、光反射性天井材１００Ａが設けられている。
【００１５】
パネル１０２には、図２の概略断面図に示すように採光プレート１０１の他に例えば日射調整装置４００が設けられている。日射調整装置４００は、後述のようにラダーコード４０３によってスラット４０１，４０２の角度が調整される。具体的には、例えば、日射調整装置４００は、一般的なブラインドなどに相当する。
【００１６】
日射調整装置４００にはスラット角固定具３００が採光プレート１０１の下端とほぼ同じ位置に設けられており、スラット角固定具３００を境として日射調整装置４００のスラット４０１とスラット４０２との角度が異なるようになっている。また部屋１００内には例えば机１０４が設置されていて、後述の照度の測定に際して机１０４の上面である机上面１０４Ａの照度を測定する。
【００１７】
光反射性天井材１００Ａは、部屋１００内（例えば机上面１０４Ａ）を明るくする拡散反射性を有し、かつ、部屋１００内のグレア光の発生を抑制する鏡面反射性を有することが好ましい。光反射性天井材１００Ａは、例えばアルミニウムのような鏡面反射性を有する金属板に、拡散反射性を有するように数十μｍ程度の凹凸によるエンボス加工を施した材料としてもよい。
【００１８】
また光反射性天井材１００Ａは、拡散反射性を有するように数十μｍ程度の凹凸によるエンボス加工を施した樹脂板の表面に、鏡面反射性を有するアルミの様な金属薄膜を蒸着した材料としてもよい。
【００１９】
なおエンボス加工による凹凸は数十μｍ程度が望ましいが、数十μｍより大きな周期の曲面でエンボス加工が形成されてもよい。エンボス加工の形状を適宜変更することで、光の配光特性や光分布特性などを変更することができる。
【００２０】
例えば光反射性天井材１００Ａに施すエンボス加工の形状を部屋１００の内側（以下、これを室内又は屋内と呼んでもよい）の奥（図１における短手方向）に向かうようなストライプ形状とすることによって、室内の奥に光を導き、かつ、光反射性天井材１００Ａにより反射した光は、図１における長手方向に拡散される。例えばパネル１０２の大きさや向きが制限される場合には光反射性天井材１００Ａに施すエンボス加工の形状を変化させることは有効である。なお部屋１００の外側を屋外と呼んでもよい。
【００２１】
このように光反射性天井材１００Ａは、パネル１０２及び採光プレート１０１を通過した光を反射し、部屋１００内部のパネル１０２から離れた箇所にも光を導くようにすることができる。
【００２２】
室内照明装置１０３は、図２の概略断面図に示すように、部屋１００内部を照らす装置であって、室内照明器具１０３Ａ、照度検出部１０３Ｂ及び制御部１０３Ｃから構成される。室内照明器具１０３Ａは、例えば発光ダイオードなどで室内照明装置１０３毎に複数備えられていてもよい。
【００２３】
照度検出部１０３Ｂは、室内照明器具１０３Ａの明るさである照度を検出する例えば照度センサなどであって、室内照明器具１０３Ａに対応する数だけ備えられる。照度検出部１０３Ｂは、室内照明器具１０３Ａが照射する被照射面からの反射光を受光して被照射面（例えば机上面１０４Ａ）の照度を検出する。
【００２４】
制御部１０３Ｃは、室内照明装置１０３毎に１つ備えられ、例えば目標とする机上面１０４Ａの目標照度Ｌ0などの値を共有するために隣り合う制御部１０３Ｃは互いに接続される。目標照度Ｌ0は例えば「ＪＩＳ  Ｚ９１１０  照明総則」の執務室における推奨維持照度７５０１ｘとする。なお照度を算出する際は例えば机上面１０４Ａの領域毎の照度を平均する。
【００２５】
制御部１０３Ｃは、照度検出部１０３Ｂが検出した照度を取得し、取得した照度に基づいて対応する室内照明器具１０３Ａの照度を調節するフィードバック制御を行う。制御部１０３Ｃがフィードバック制御を行うことによって、部屋１００内部におけるパネル１０２及び採光プレート１０１を通過した例えば自然光などの光による照度を取得することができ、部屋１００内部の各領域における照度をそれぞれ所定の値とすることができる。なお制御部１０３Ｃによる制御と連動してスラット４０１，４０２の角度が調整されてもよいものとする。
【００２６】
なお図１及び図２に示した例はスラット角固定具３００を使用する際の例であって、例えば室内照明装置１０３及び採光プレート１０１を使用せずに日射調整装置４００にスラット角固定具３００を設置するだけとしても当然よいものとする。また図１及び図２では採光プレート１０１が部屋１００に設置される例を挙げたが、本発明においてはこれに限らず、採光プレート１０１の代わりに窓貼付型採光フィルム、採光ガラス、採光ルーバーなどの採光器が部屋１００に設置されてもよい。
【００２７】
なお採光器とはパネル１０２の上部に設置され、パネル１０２から入光する太陽光などの光を所定の方向に向けて出光し、屋内に光を効率的に取り入れることを可能とする機器を指す。採光器及び後述のスラット角固定具３００，５００，６００，７００を備える装置を採光装置と呼んでもよいものとする。また採光装置及び日射調整装置４００を備えるシステムを採光システムと呼んでもよく、採光システムはさらに室内照明装置を備えてもよいものとする。
【００２８】
図３に本実施の形態におけるスラット角固定具３００の構成を示す概略図を示す。また図４に図３のＩＶ−ＩＶの概略断面図を示す。スラット角固定具３００は、例えば採光プレート１０１の下端などの所定の位置のラダーコード４０３の一部が挿入されるラダーコード挿入穴３０２と、スラット間隔ＬSなどの長さであるラダーコード挿入穴３０２から突出するラダーコード４０３を保持するラダーコード保持部３０５と、を備える。
【００２９】
なおスラット角固定具３００の材料は、例えばアルミニウムやステンレス鋼などの金属でもよいし、ポリカーボネートやポリ塩化ビニルやポリメタクリル酸メチル樹脂などの樹脂でもよいし、ゴム系やシリコン系でもよいものとする。
【００３０】
日射調整装置４００は、複数のスラット４０１，４０２と、複数のスラット４０１，４０２を支え、複数のスラット４０１，４０２の角度を調整するラダーコード４０３と、ラダーコード４０３を吊るす吊り部４０４と、を有している。各スラット４０１，４０２は、例えば屋外側のラダーコード４０３Ａと屋内側のラダーコード４０３Ｂとの間に張られた支持コード４０５の上に載置されることにより支えられる。
【００３１】
ラダーコード４０３は、例えば日射調整装置４００が備える全てのスラット４０１，４０２を支える。屋外側のラダーコード４０３Ａを上方に引くことによりスラット４０１，４０２の屋外側の辺が上方に上がるように全てのスラット４０１，４０２を傾かせる。屋内側のラダーコード４０３Ｂを上方に引くことによりスラット４０１，４０２の屋内側の辺が上方に上がるように全てのスラット４０１，４０２を傾かせることができる。
【００３２】
また、通常、ラダーコード４０３（４０３Ａ，４０３Ｂ），４１３（４１３Ａ，４１３Ｂ），４２３（４２３Ａ，４２３Ｂ）は後述の図７に示すように、屋内側及び屋外側のそれぞれにおいてスラット４０１（４０１Ａ，４０１Ｂ，４０１Ｃ），４０２（４０２Ａ，４０２Ｂ）を支えている。このため、スラット角固定具３００を取り付ける際は水平方向に揃った位置でラダーコード４０３，４１３，４２３にそれぞれスラット角固定具３００を取り付ける。
【００３３】
スラット４０１（４０１Ａ，４０１Ｂ，４０１Ｃ），４０２（４０２Ａ，４０２Ｂ）はそれぞれ支持コード４０５（４０５Ａ，４０５Ｂ，４０５Ｃ，４０５Ｄ，４０５Ｅ）に支持される。また図示していないが、ラダーコード４０３に支持コード４０５が設けられているようにラダーコード４１３には支持コード４１５が、ラダーコード４２３には支持コード４２５が設けられているものとする。
【００３４】
また例えば吊り部４０４は、上部からスラット４０１，４０２をラダーコード４０３，４１３，４２３によって吊るしており、スラット４０１，４０２が不要な際には収納してもよいものとする。
【００３５】
スラット角固定具３００は、スラット角固定具３００を取り付けた位置の上のスラット４０１の角度とスラット角固定具３００を取り付けた位置の下のスラット４０２の角度との相対角度を固定する。このため、スラット角固定具３００を取り付けたままの状態で日射調整装置４００は、大きく分けて例えば以下の４つの状態を遷移することができる。
【００３６】
すなわちスラット４０１，４０２が全開となっている全開状態と、上部のスラット４０１が半開で下部のスラット４０２が全閉となっている上部半開下部全閉状態と、スラット４０１，４０２が半開となっている半開状態と、スラット４０１，４０２が全閉となっている全閉状態である。
【００３７】
なお全開状態、半開状態及び全閉状態では、スラット角固定具３００が取り付けられた箇所を境にスラット４０１とスラット４０２との角度に若干の差は出る。またスラット４０１とスラット４０２との相対角度は、ラダーコード保持部３０５が保持するラダーコード４０３，４１３，４２３の長さによって決まるため、実際はスラット角固定具３００の厚さや幅や長さといった大きさによって決まる。
【００３８】
スラット角固定具３００が取り付けられた日射調整装置４００は、全開状態ではパネル１０２から入光する光を優先的に通し、半開状態ではパネル１０２から入光する光の一部を通し、全閉状態ではパネル１０２から入光する光の大半を遮るとする。また日射調整装置４００は、上部半開下部全閉状態では、日射調整装置４００のスラット４０１の部分（以下、これを上部と呼んでもよい）のみ光の一部を通し、日射調整装置４００のスラット４０２の部分（以下、これを下部と呼んでもよい）では光の大半を遮る。
【００３９】
なお、例えば具体的にはスラット４０１，４０２が水平方向と平行の場合のスラット４０１，４０２の角度を０°とする。また例えば部屋１００の内側の鉛直方向上向きに傾く角度を正の角度とすると、全開状態とはスラット４０１，４０２の角度が０°以上３０°以下の範囲を指す。
【００４０】
また例えば半開状態とは、部屋全体を明るくすることが可能な屋内での鉛直方向上向きの光の大半が遮られ、鉛直方向下向きの光が通る状態を指し、さらに具体的にはスラット４０１，４０２の角度が−６０°以上０°以下又は３０°以上６０°以下の範囲を指す。また例えば全開状態とはスラット４０１，４０２の角度が―６０°以下又は６０°以上の範囲を指す。
【００４１】
ラダーコード保持部３０５がラダーコード４０３，４１３，４２３を保持し短縮することでスラット角固定具３００を取り付けた箇所の上下でスラット４０１とスラット４０２の相対角度を固定することができる。
【００４２】
このため、スラット角固定具３００を取り付けた箇所の上部に採光プレート１０１を設置すれば、上述の４つの状態においても日射調整装置４００の上部では適切に光を通しつつ、日射調整装置４００の下部では適切に光を遮断することができる。なおラダーコード４０３，４１３，４２３を短縮することで相対角度を固定するためスラット４０２はスラット４０１よりも閉じている。
【００４３】
スラット角固定具３００は日射調整装置４００に取り付ける際には、部屋１００の外側のラダーコード４０３Ａ，４１３Ａ，４２３Ａではなく屋内側のラダーコード４０３Ｂ，４１３Ｂ，４２３Ｂに取り付ける。
【００４４】
作業者は例えば採光プレート１０１の下端などに決定される切り替え位置のラダーコード４０３Ｂ，４１３Ｂ，４２３Ｂをつまんで束ねて、ラダーコード４０３Ｂ，４１３Ｂ，４２３Ｂで作った輪（以下、これを単に輪と呼んでもよい）を後述のラダーコード収納部３０３側からラダーコード挿入穴３０２に通す。
【００４５】
次に作業者はラダーコード挿入穴３０２から突出した輪を広げて出た側の裏側であるラダーコード収納部３０３側に回し、ラダーコード保持部３０５にラダーコード４０３Ｂ，４１３Ｂ，４２３Ｂを保持させる。ラダーコード保持部３０５が保持するラダーコード４０３Ｂ，４１３Ｂ，４２３Ｂの長さは、スラット間隔ＬS以下であることが望ましい。
【００４６】
これはラダーコード保持部３０５が保持するラダーコード４０３Ｂ，４１３Ｂ，４２３Ｂの長さがスラット間隔ＬSよりも長いと、スラット４０２Ａ，４０１Ｃが日射調整装置４００にうまく収まらなくなってしまうためである。これはスラット４０１Ｃ，４０２Ａを支える支持コード４０５Ｃ，４０５Ｄを巻き込んでしまうことが原因である。
【００４７】
なおラダーコード保持部３０５が保持するラダーコード４０３Ｂ，４１３Ｂ，４２３Ｂの長さがスラット間隔ＬSの場合、スラット４０１とスラット４０２との相対角度の差は最大となる。
【００４８】
ラダーコード保持部３０５は、ラダーコード４０３Ｂ，４１３Ｂ，４２３Ｂを収納するラダーコード収納部３０３と、を備える。またラダーコード保持部３０５は、ラダーコード４０３Ｂ，４１３Ｂ，４２３Ｂを引っ掛けラダーコード４０３Ｂ，４１３Ｂ，４２３Ｂを固定する引っ掛け部３０１（３０１Ａ，３０１Ｂ）と、を備える。
【００４９】
またラダーコード保持部３０５は、ラダーコード４０３Ｂ，４１３Ｂ，４２３Ｂを収納する際にラダーコード４０３Ｂ，４１３Ｂ，４２３Ｂを滑らせる滑り部３０４（３０４Ａ，３０４Ｂ，３０４Ｃ，３０４Ｄ，３０４Ｅ，３０４Ｆ，３０４Ｇ，３０４Ｈ，３０４Ｉ，３０４Ｊ）と、を備える。
【００５０】
作業者は、ラダーコード挿入穴３０２から出た輪を広げて出た側の裏側であるラダーコード収納部３０３側に回す際に、例えば滑り部３０４Ａ，３０４Ｂ，３０４Ｃ，３０４Ｇ，３０４Ｉを利用する。作業者は、まず輪を角がない滑り部３０４Ｂにあてた後に滑り部３０４Ａ，３０４Ｃの方に向けて同程度の力を加えて輪を広げてラダーコード収納部３０３にラダーコード４０３Ｂ，４１３Ｂ，４２３Ｂが収納されるようにする。
【００５１】
ラダーコード収納部３０３に収納される際には、ラダーコード４０３Ｂ，４１３Ｂ，４２３Ｂは、周りに対して凹ませた形状であって引っ掛け部３０１Ａ，３０１Ｂに引っ掛かることで固定される。
【００５２】
スラット角固定具３００には角のない滑り部３０４Ｇ，３０４Ｉが設けられているため、ラダーコード４０３Ｂ，４１３Ｂ，４２３Ｂは、ラダーコード収納部に円滑に収納される。また滑り部３０４Ａ，３０４Ｃは滑り部３０４Ｂからラダーコード収納部３０３に向かっての傾斜となっているため、輪が滑り部３０４Ａ，３０４Ｃを通過する際に、徐々に輪が広がるようになっている。
【００５３】
なお作業者が、ラダーコード挿入穴３０２から出た輪を広げて出た側の裏側であるラダーコード収納部３０３側に回す際に、滑り部３０４Ｄ，３０４Ｅ，３０４Ｆ，３０４Ｈ，３０４Ｊを利用する際も同様とする。
【００５４】
このように本実施の形態においてはスラット４０１，４０２などの重さがかかったラダーコード４０３Ｂ，４１３Ｂ，４２３Ｂをラダーコード収納部３０３に収納する際に角のない滑り部３０４を滑らせることで容易に収納することができる。
【００５５】
またラダーコード収納部３０３を溝状としラダーコード保持部３０５の形状をひし形として、スラット角固定具３００が水平方向に回転することを防ぐ。このことでスラット角固定具３００を取り付けた場合でも安定して日射調整装置４００におけるスラット４０１，４０２の開閉ができるようにしている。またスラット角固定具３００の厚さをラダーコード４０３，４１３，４２３の太さと同じから２倍程度とすることで日射調整装置４００の開閉を妨げないようにしている。
【００５６】
なおラダーコード４０３Ｂ，４１３Ｂ，４２３Ｂには張力としてスラット４０１，４０２などの重さがかかっているためスラット４０１やラダーコード４０３，４１３，４２３の材質などによっては広げた輪を裏側に回す作業を手で行うことが難しい。このため作業者は、日射調整装置４００にスラット角固定具３００を取り付ける際に手ではなく例えばラダーコード通し器として逆作用ピンセットなどを使用してもよい。
【００５７】
作業者は、つまむ、開くという機能を持つ逆作用ピンセットを使用することで、ラダーコード４０３Ｂ，４１３Ｂ，４２３Ｂをつまんで、つまんだ輪を広げて、広げた輪を裏側に回すという一連の動作を一度に行うことができる。
【００５８】
図１１に本実施の形態によるラダーコード通し器１１００の概略図を示す。図１１に示すように本実施の形態によるラダーコード通し器１１００は、握られることで操作される操作部１１０１と、一対のつまみ手１１０２，１１０３が長さ方向及び幅方向において交わる逆作用部１１０４と、を備える。
【００５９】
また本実施の形態によるラダーコード通し器１１００は、日射調整装置４００の複数のスラット４０１，４０２の角度を調整するラダーコード４０３，４１３，４２３を一対のつまみ手１１０２，１１０３でつまむ口先部１１０５を備える。
【００６０】
一対のつまみ手１１０２，１１０３が長さ方向及び幅方向において交わる構成となっていることでラダーコード通し器１１００の使用者が操作部を押圧すると口先部１１０５が開き、操作部の押圧をやめると口先部１１０５が閉じる。
【００６１】
一対のつまみ手１１０２，１１０３でラダーコード４０３，４１３，４２３をつまんだ際には口先部１１０５は開く。口先部１１０５が開いたときの口先部間の幅である開口幅は、ラダーコード保持部３０５へのラダーコード４０３，４１３，４２３の保持を容易にするため、スラット４０１，４０２の間隔であることが望ましい。なお逆作用部１１０４は、開口幅を調整できるような仕組みを持っていてもよい。
【００６２】
本実施の形態によれば、一般的なブラインドにおいても、容易に、部分ごとにスラットの角度を調整可能にすることができる。また、スラット角固定具３００は、日射調整装置４００の任意の位置に取り付けることができ、採光プレートの設置位置に合わせてスラット角度の切り替え位置を調整して、日射調整装置４００の遮光及び採光の切り替え位置が調整できる。
【００６３】
［第２の実施の形態］
次に本発明の第２の実施の形態について説明する。第１の実施の形態ではラダーコード挿入穴３０２とラダーコード保持部３０５が一体となっている。これに対して第２の実施形態においては、ラダーコード挿入穴３０２とラダーコード保持部３０５は分離されている点が、主に第１の実施形態と異なる。なお、下記においては、上記第１の実施形態と同様の点については説明を省略する。
【００６４】
図５に本実施の形態によるスラット角固定具５００の構成を示す。図５中の（Ａ）はスラット角固定具５００の斜視図であって、（Ｂ）は（Ａ）におけるＶ−Ｖ断面図である。図５に示すようにスラット角固定具５００は、ラダーコード挿入穴５１１が設けられたラダーコード挿入部５１０と、ラダーコード保持部５２０と、を備える。
【００６５】
本実施の形態によるスラット角固定具５００は、ラダーコード挿入部５１０とラダーコード保持部５２０とが分離している点以外は、第１の実施の形態によるスラット角固定具３００と同様であるため対応する箇所の説明を省略する。スラット角固定具３００とスラット角固定具５００との対応としてはラダーコード保持部３０５がラダーコード保持部５２０に対応する。
【００６６】
また引っ掛け部３０１（３０１Ａ，３０１Ｂ）が引っ掛け部５２１（５２１Ａ，５２１Ｂ）に対応し、ラダーコード挿入穴３０２はラダーコード挿入穴５１１に対応し、ラダーコード収納部３０３はラダーコード収納部５２２に対応する。
【００６７】
なお滑り部３０４（３０４Ａ，３０４Ｂ，３０４Ｃ，３０４Ｄ，３０４Ｅ，３０４Ｆ，３０４Ｇ，３０４Ｈ，３０４Ｉ，３０４Ｊ）は滑り部５２３（５２３Ａ，５２３Ｂ，５２３Ｃ，５２３Ｄ，５２３Ｅ，５２３Ｆ，５２３Ｇ，５２３Ｈ，５２３Ｉ，５２３Ｊ）に対応する。
【００６８】
ラダーコード４０３Ｂ，４１３Ｂ，４２３Ｂには張力としてスラット４０１，４０２などの重さがかかっているため第１の実施の形態によるスラット角固定具３００では日射調整装置４００に取り付ける際に広げた輪を裏側に回す作業が難しい。
【００６９】
本実施の形態によるスラット角固定具５００では、作業者は、日射調整装置４００に取り付ける際に、いったんラダーコード挿入部５１０に設けられたラダーコード挿入穴５１１にラダーコード４０３Ｂ，４１３Ｂ，４２３Ｂを通す。
【００７０】
ここで作業者は、ラダーコード挿入部５１０とラダーコード挿入部５１０のラダーコード４０３Ｂ，４１３Ｂ，４２３Ｂとを掴んでおくことで、輪にスラット４０１，４０２などの重さがかからない状態を作ることができる。そして作業者は、スラット４０１，４０２などの重さがかかっていない輪をラダーコード保持部５２０にかけることでラダーコード４０３Ｂ，４１３Ｂ，４２３Ｂを保持させる。
【００７１】
本実施の形態によれば、ラダーコード挿入部５１０とラダーコード保持部５２０とが分離するため、上記第１の実施形態と比べて、作業者が日射調整装置４００にスラット角固定具５００を取り付ける際の作業性を向上することができる。
【００７２】
［第３の実施の形態］
次に本発明の第３の実施の形態について説明する。第１及び第２の実施の形態ではラダーコード収納部３０３，５２２が１つであるが、第３の実施の形態においては、ラダーコード収納部３０３，５２２は複数である点が、主に第１の実施の形態などと異なる。なお、上記第１及び第２の実施の形態と同様の点については説明を省略する。図６に本実施の形態によるスラット角固定具６００の構成を示す。図６中の（Ａ）はスラット角固定具６００の斜視図であって、（Ｂ）は（Ａ）におけるＶＩ−ＶＩ断面図である。
【００７３】
図６に示すようにスラット角固定具６００は、ラダーコード挿入穴６０２と、並べて配置される複数のラダーコード収納部６０３（６０３Ａ，６０３Ｂ，６０３Ｃ）と、を備える。またスラット角固定具６００は、ラダーコード４０３Ｂ，４１３Ｂ，４２３Ｂを収納するラダーコード収納部６０３（６０３Ａ，６０３Ｂ，６０３Ｃ）に対応する引っ掛け部６０１（６０１Ａ，６０１Ｂ，６０１Ｃ）を備えていてもよい。
【００７４】
引っ掛け部６０１（６０１Ａ，６０１Ｂ，６０１Ｃ）は、ラダーコード収納部６０３にラダーコード４０３Ｂ，４１３Ｂ，４２３Ｂが収納された際に抜け落ちることを防止するために設けられており、必須の構成要素ではない。
【００７５】
例えばラダーコード収納部６０３は、ラダーコード収納部６０３が配置されている配置部６０４から鉛直方向に対して斜め上に延伸するように設けることで不要となる。ラダーコード挿入穴６０２は、第１及び第２の実施の形態におけるラダーコード挿入穴３０２，５１１と同様であるため説明を省略する。
【００７６】
ラダーコード収納部６０３Ａ，６０３Ｂ，６０３Ｃのうちの１つを選択して、ラダーコード４０３Ｂ，４１３Ｂ，４２３Ｂを収納することでその収納する量（以下、これを巻取り量と呼んでもよい）を調整することができる。このため、スラット４０１とスラット４０２との相対角度を調整することができる。なお図６ではラダーコード収納部６０３間の間隔は等間隔のように示しているが、ラダーコード収納部６０３間の間隔は、等間隔でなくともよく適宜調整をしてよいものとする。
【００７７】
ラダーコード４０３Ｂ，４１３Ｂ，４２３Ｂを多く巻き取りたい場合はラダーコード収納部６０３Ａに、巻取り量が少量でよい場合はラダーコード収納部６０３Ｃに、ラダーコード４０３Ｂ，４１３Ｂ，４２３Ｂを収納する。またラダーコード収納部６０３Ｂにラダーコード４０３Ｂ，４１３Ｂ，４２３Ｂを収納する場合は、ラダーコード収納部６０３Ａに収納する場合とラダーコード収納部６０３Ｃに収納する場合との間の巻取り量となる。
【００７８】
なお複数のラダーコード収納部６０３にラダーコード４０３Ｂ，４１３Ｂ，４２３Ｂを収納することで、１つのラダーコード収納部６０３に収納する場合に比べてラダーコード４０３Ｂ，４１３Ｂ，４２３Ｂを多く巻き取ることができる。
【００７９】
例えば、ラダーコード収納部６０３Ｂにラダーコード４０３Ｂ，４１３Ｂ，４２３Ｂを巻き付けた後にラダーコード４０３Ｂ，４１３Ｂ，４２３Ｂをラダーコード収納部６０３Ａに収納することができる。この場合、ラダーコード４０３Ｂ，４１３Ｂ，４２３Ｂをラダーコード収納部６０３Ａに収納する場合に比べ多くのラダーコード４０３Ｂ，４１３Ｂ，４２３Ｂを巻き取ることができる。
【００８０】
配置部６０４は例えば長方形の薄い形状とし、スラット角固定具６００が水平方向に回転することを防ぎ、スラット角固定具６００を取り付けた場合でも安定して日射調整装置４００におけるスラット４０１，４０２の開閉ができるようにしている。またスラット角固定具６００の厚さをラダーコード４０３，４１３，４２３の太さと同じから２倍程度とすることで日射調整装置４００の開閉を妨げないようにしている。
【００８１】
本実施の形態によれば、スラット角固定具６００には複数のラダーコード収納部６０３が設けられていて、ラダーコード４０３Ｂ，４１３Ｂ，４２３Ｂの巻取り量を調整することができるため、スラット４０１とスラット４０２との相対角度を調整することができる。
【００８２】
また日射調整装置４００のスラット間隔ＬSは、２５ｍｍ、３５ｍｍ、５０ｍｍといった規格が一般的に知られている。本実施の形態のスラット角固定具６００は、複数のラダーコード収納部６０３を備えることで複数の規格に対応することができる。
【００８３】
［第４の実施の形態］
次に本発明の第４の実施の形態について説明する。第１〜第３の実施の形態ではラダーコード４０３Ｂ，４１３Ｂ，４２３Ｂのそれぞれに個別にスラット角固定具３００，５００，６００を取り付ける。これに対して第４の実施の形態においては、複数のスラット角固定具３００，５００，６００が一体となる点が主に第１の実施の形態などと異なる。なお、上記第１〜第３の実施の形態と同様の点については説明を省略する。図７に本実施の形態によるスラット角固定具７００の構成を示す。図７中の（Ａ）はスラット角固定具７００の斜視図であって、（Ｂ）は（Ａ）におけるＶＩＩ−ＶＩＩ断面図である。
【００８４】
図７に示すようにスラット角固定具７００は、ラダーコード挿入穴７１１が設けられたラダーコード挿入部７１０と、ラダーコード保持部７２０と、を備える。図7に示すようにラダーコード挿入部７１０及びラダーコード保持部７２０は、平行方向に延伸し、望ましくは隣接する複数のラダーコード４０３，４１３，４２３間より大きい幅である。このため隣接する複数のラダーコード４０３，４１３，４２３を同時に短縮することができる。なおラダーコード挿入穴７１１の開口部の幅は例えば５ｍｍ程度としラダーコード４０３，４１３，４２３が通りやすくかつずれにくい幅とする。
【００８５】
なお図７では、スラット角固定具７００は、３本のラダーコード４０３，４１３，４２３に支えられた日射調整装置４００と同程度の幅としているが、本実施の形態はこれに限らず、ラダーコード４０３とラダーコード４１３との間隔程度の幅としてもよい。スラット角固定具７００の幅が日射調整装置４００よりも大きいとはみ出るため景観が悪くなるだけではなく、複数の日射調整装置４００を隣接して設置することができなくなるためスラット角固定具７００の幅は最大で日射調整装置４００と同程度の幅とする。なお景観の観点からラダーコード保持部７２０に化粧板を付けてもよいものする。
【００８６】
本実施の形態によるスラット角固定具７００は、隣接する複数のラダーコード４０３，４１３，４２３間以上の幅である点を除いては第２の実施の形態によるスラット角固定具５００と同様であるため対応する箇所の説明を省略する。ラダーコード挿入部７１０、ラダーコード挿入穴７１１及びラダーコード保持部７２０は、それぞれラダーコード挿入部５１０、ラダーコード挿入穴５１１及びラダーコード保持部５２０に対応する。
【００８７】
図７においてラダーコード挿入部７１０は断面が長方形とし、１つのラダーコード挿入穴７１１に複数のラダーコード４０３Ｂ，４１３Ｂ，４２３Ｂが挿入されるようにした。本実施の形態はこれに限らず図８に示す他のスラット角固定具７００のような構成としてもよい。
【００８８】
例えば図８の（Ａ）に示すようにラダーコード挿入穴７１１は保持するラダーコード４０３，４１３，４２３の数とし、開口部の面積を減らすことでパネル１０２から入光する光がスラット角固定具７００から漏れるのを減らすことができる。また図８の（Ｂ）に示すようにラダーコード挿入穴７１１を複数設け、ラダーコード挿入部７１０を梯子状とすることで、任意の幅に切ることができる。
【００８９】
また図８の（Ｃ）に示すようにラダーコード保持部７２０の断面は中空の円でもよいし、図８の（Ｄ）に示すように中空の正方形でもよいし、図8の（Ｅ）に示すようにＬ字型でもよいものとする。このようにラダーコード保持部７２０の断面を変化させることで、ラダーコード保持部７２０が保持するラダーコード４０３Ｂ，４１３Ｂ，４２３Ｂの長さを調整することができる。
【００９０】
また図８の（Ｆ）に示すようにラダーコード保持部７２０には引っ掛け部７２１が保持するラダーコード４０３，４１３，４２３の数だけ設けられてもよい。また図８の（Ｇ）に示すように、ラダーコード保持部７２０の全体に複数の引っ掛け部７２１として凹凸が設けられるようにして、ラダーコード保持部７２０を任意の幅に切ることができるようにしてもよい。
【００９１】
図８の（Ｂ）に示すラダーコード挿入部７１０と図８の（Ｇ）に示すラダーコード保持部７２０とを組み合わせることでスラット角固定具７００を任意の幅とすることができる。
【００９２】
以上のように本実施の形態によるスラット角固定具７００によれば、上記第１〜第３の実施の形態と比較して、隣接する複数のラダーコード４０３，４１３，４２３を同時に短縮することができる。また本実施の形態によるスラット角固定具７００によれば、上記第１〜第３の実施の形態と比較して、各ラダーコード４０３，４１３，４２３の短縮する位置を合わせることが容易とすることができる。
【００９３】
［第５の実施の形態］
次に本発明の第５の実施の形態について説明する。第４の実施の形態ではスラット角固定具７００は単体であるが、第５の実施の形態においては、採光プレート１０１と一体となっている点が、主に第４の実施の形態と異なる。なお上記第４の実施の形態と同様の点については説明を省略する。図９に本実施の形態による採光装置９００の構成を示す。図９中の（Ａ）は採光装置９００の斜視図であって、（Ｂ）は（Ａ）における矢印方向から見た側面図である。
【００９４】
図９に示すように本実施の形態による採光装置９００は、採光プレート１０１と、スペーサ９０１（９０１Ａ，９０１Ｂ）とスラット角固定具７００と、を備える。採光プレート１０１は、入光する光を所定の方向に向けて出光するプリズム層を有する採光フィルム１０１Ｂと、採光フィルム１０１Ｂを固定する所定の剛性を有するフレーム１０１Ａと、を備える。
【００９５】
スペーサ９０１Ａ，９０１Ｂはフレーム１０１Ａの下部の両端にそれぞれ設けられ、日射調整装置４００が入る空間を確保する。スペーサ９０１Ａ，９０１Ｂが設けられると、採光プレート１０１と日射調整装置４００との距離や高さといった位置関係を保持することができ採光プレート１０１と日射調整装置４００とが接触し採光プレート１０１や日射調整装置４００が破損することを防げる。
【００９６】
図９では採光プレート１０１とスラット角固定具７００とが一体となっている例を挙げたが、本実施の形態においてはこれに限らず、採光プレート１０１の代わりに窓貼付型採光フィルム、採光ガラス、採光ルーバーがスラット角固定具７００と一体となっていてもよい。
【００９７】
［第６の実施の形態］
次に本発明の第６の実施の形態について説明する。本実施の形態では、図１に示した部屋に採用されている採光システムについて説明する。なお、上記第１〜第５の実施の形態と同様の点については説明を省略する。
【００９８】
図１において、部屋１００の照度とパネル１０２からの距離との関係を示した関係図は図１０のようになる。ただし例えば、領域Ｅは３ｍ、間隔Ｐは１．８ｍ、部屋１００の幅Ｌ1は１８ｍ、部屋１００の奥行きＬ2は９ｍ、部屋１００の高さＬ3は２．７ｍ、パネル１０２の高さＬ4は１．８ｍとする。
【００９９】
図１０において、グラフ１００１はパネル１０２及び採光プレート１０１を通過して照度検出部１０３Ｂによって検出される各机上面１０４Ａの光の照度を示し、グラフ１００２は室内照明器具１０３Ａによって各机上面１０４Ａを照射する光照度を示し、グラフ１００３は机上面１０４Ａ毎の実際の照度を示す。
【０１００】
照度検出部１０３Ｂは机上面１０４Ａの照度を検出し、制御部１０３Ｃに検出した照度の情報を伝達する。制御部１０３Ｃは、伝達された照度の情報を基に机上面１０４Ａの照度が目標照度Ｌ0に足りているかどうかの判断を行う。
【０１０１】
制御部１０３Ｃは、照度検出部１０３Ｂによって検出された机上面１０４Ａの照度が目標照度Ｌ0に足りないことを判断すると、足りない分の照度を室内照明器具１０３Ａによって照射するように室内照明器具１０３Ａを制御する。
【０１０２】
次に検出する際には照度検出部１０３Ｂは、室内照明器具１０３Ａによって照射された机上面１０４Ａの照度を検出し、制御部１０３Ｃに検出した照度の情報を伝達する。制御部１０３Ｃは、伝達された照度の情報を基に再度、机上面１０４Ａの照度が目標照度Ｌ0に足りているかどうかの判断を行う。このようなフィードバック制御が制御部１０３Ｃによって行われる。
【０１０３】
本実施の形態によれば、自然光を利用することで室内照明器具１０３Ａによる照射を従来と比較して減らすことができ、かつ、採光プレート１０１を使用するため第１及び第２の実施の形態の効果によってグレア光の発生を抑制させることができる採光システムを提供することができる。
【０１０４】
なお本実施の形態では、スラット角固定具３００を使用する場合について述べているが、スラット角固定具５００，６００，７００を使用してもよいし、採光装置９００を使用してもよい。スラット角固定具５００，６００，７００や採光装置９００を使用した場合においてもスラット角固定具３００を使用した場合と同様の効果を得ることができる。
【０１０５】
［その他の実施の形態］
本発明は、上記第１〜６の実施の形態に限定されるものではなく、種々の変形が可能である。例えば、上記第１〜第６の実施の形態で示した構成と実質的に同一の構成、同一の作用効果を奏する構成又は同一の目的を達成することができる構成で置き換えることができる。
【０１０６】
また上記においてはラダーコード４０３，４１３，４２３が３本の場合について述べているが、本願発明はこれに限らずラダーコード４０３，４１３，４２３は１本でもよいし、３本以外の複数本でもよい。
【０１０７】
また第３の実施の形態においてはスラット角固定具６００に複数のラダーコード収納部６０３が設けられることでラダーコード４０３Ｂ，４１３Ｂ，４２３Ｂの巻取り量を調整するようにしたが本実施の形態はこれに限らない。
【０１０８】
例えば第３の実施の形態においては、ラダーコード収納部６０３の厚さを厚くし、何重かにまくことができるようにしてラダーコード４０３Ｂ，４１３Ｂ，４２３Ｂの巻取り量を調整するようにしてもよい。
【０１０９】
また例えば第３の実施の形態においては、引っ掛け部６０１の位置を段階的又は無段階に変化させることでラダーコード４０３Ｂ，４１３Ｂ，４２３Ｂの巻取り量を調整するようにしてもよい。
【図１】
2020121891.tif 000003
【図２】
2020121891.tif 000004
【図３】
2020121891.tif 000005
【図４】
2020121891.tif 000006
【図５】
2020121891.tif 000007
【図６】
2020121891.tif 000008
【図７】
2020121891.tif 000009
【図８】
2020121891.tif 000010
【図９】
2020121891.tif 000011
【図１０】
2020121891.tif 000012
【図１１】
2020121891.tif 000013
【国際調査報告】
2020121891.tif 000014
2020121891.tif 000015
2020121891.tif 000016
2020121891.tif 000017
2020121891.tif 000018
2020121891.tif 000019